(57)【要約】【課題】液浸露光プロセスにおいて、真空紫外領域として知られる200nm以下の波長で、非常に高い透明性と水よりも高い屈折率を有する液体およびそれを用いたレジストパターン形成方法を提供すること。【解決手段】飽和炭化水素化合物を含有し、かつ不純物濃度が二重結合換算で3.3mmol/mol以下である液浸露光プロセス用液体を使用する。【特許請求の範囲】
【請求項１】
200nm以下の紫外光を用いた液浸露光プロセス用液体であって、飽和炭化水素化合物を含有し、不純物濃度が二重結合換算で3.3mmol/mol以下であることを特徴とする液浸露光プロセス用液体。
【請求項２】
前記飽和炭化水素化合物が炭素数５以上の直鎖炭化水素化合物、分岐式炭化水素化合物又は脂環式炭化水素化合物であることを特徴とする請求項1記載の液浸露光プロセス用液体。
【請求項３】
前記脂環式炭化水素化合物の基本骨格がモノシクロ、ビシクロ、トリシクロまたはテトラシクロ構造を有することを特徴とする請求項２記載の液浸露光プロセス用液体。
【請求項４】
前記脂環式炭化水素化合物が、シクロヘキサン、シクロオクタン、シクロデカン、ビシクロヘキサン、デカヒドロナフタレン、ノルボルナン、ビシクロオクタン、アダマンタン、パーヒドロアントラセン、パーヒドロフェナントレン、トリシクロデカン、パーヒドロナフタセンまたはテトラシクロドデカンを基本骨格とすることを特徴とする請求項２記載の液浸露光プロセス用液体。
【請求項５】
前記脂環式炭化水素化合物が、シクロヘキサン、シクロオクタン、シクロデカン、ビシクロヘキサン、デカヒドロナフタレン、ノルボルナン、ビシクロオクタン、アダマンタン、パーヒドロアントラセン、パーヒドロフェナントレン、トリシクロデカン又はパーヒドロナフタセンまたはテトラシクロドデカンのいずれかを基本骨格とし、かつ１つ以上のアルキル基を有する脂環式炭化水素化合物を含有してなることを特徴とする請求項２記載の液浸露光プロセス用液体。
【請求項６】
前記脂環式炭化水素化合物が下記一般式(1)で示される少なくとも１つ以上のアルキル基を有するアダマンタン化合物を含有することを特徴とする請求項２記載の液浸露光プロセス用液体。
【化１】
2007227811.tif 000005
[式中のＲ１〜Ｒ６は同一または異なるものであり、水素原子、炭素数１〜10のアルキル基、アルコキシ基、脂環式炭化水素基、フッ素原子、塩素原子、臭素原子、ヨウ素原子、水酸基、５価のリン原子を有する官能基または６価の硫黄原子を有する官能基を示す。但し、Ｒ１〜Ｒ６のうち少なくとも一つはアルキル基を表す。アルキル基およびアルコキシ基に結合する水素原子の一部または全部をフッ素原子、塩素原子、臭素原子、ヨウ素原子、水酸基、５価のリン原子を有する官能基または６価の硫黄原子を有する官能基で置換したものも含む。脂環式炭化水素基の炭素数は５〜20であり、脂環式炭化水素基に結合する水素の一部または全部を炭素数１〜10のアルキル基、アルコキシ基、アルキルアルコール基、フッ素原子、塩素原子、臭素原子、ヨウ素原子、水酸基、５価のリン原子を有する官能基または６価の硫黄原子を有する官能基で置換したものも含む。]
【請求項７】
前記飽和炭化水素化合物の融点が25℃以下であることを特徴とする請求項１記載の液浸露光プロセス用液体。
【請求項８】
200nm以下の波長を用いた液浸露光プロセスにおいて、請求項１〜７記載の液浸露光プロセス用液体を用いることを特徴とするレジストパターン形成方法。
【発明の詳細な説明】
【技術分野】
【０００１】
本発明は液浸露光プロセス技術において、真空紫外領域として知られる200nm以下の波長範囲において非常に高い透明性と水よりも高い屈折率を有する液浸露光プロセス用液体を用いてレジストパターンを形成する方法に関する。更に詳しくは、液浸式投影露光装置において、光学レンズとシリコンウエハ間の屈折率を高める目的で充填される好適な液浸露光プロセス用液体、及びそれを用いたレジストパターン形成方法に関するものである。
【背景技術】
【０００２】
半導体集積回路の高集積化は、目覚しい速さで進んでおり、エレクトロニクス産業はこれに伴い発展して来た。半導体集積回路の高集積化において露光技術は最も重要な技術の一つであり、該工程においてもレジストパターンの高解像度化(微細化)が求められている。
【０００３】
レジストパターンの解像度および開口数はそれぞれ(2)式および(3)式で表される。
解像度：Ｒ＝k・λ／NA                          (2)
開口数：NA＝n・sinθ                           (3)
[式中のＲは解像度、kはレイリー定数、λは波長、NAはレンズ開口数、nは媒体の屈折率、θはレンズ採取角を示す。]
解像度を向上(微細化)させるためには、光源波長の短波長化または開口数の増大が重要となる。光源波長の短波長化は現行の製造ラインでは、KrFレーザー(248nm)からArFレーザー(193nm)へ移行しつつあり、将来的にはF2レーザー(157nm)、EUV(真空紫外光13.5nm)、電子線、Ｘ線へと移行して行くものと考えられている。
【０００４】
しかしながら、光源を短波長化した場合、200nm以下の波長において酸素による吸収が存在するため、吸収のない不活性ガスによるパージや高真空度を維持しなければならず、装置が複雑になるばかりでなく、光学システムを含めた周辺装置一式を開発しなければならず、その投資額は莫大なものとなる。
【０００５】
前述の問題を解決する方法として、レンズとレジスト膜との間に所定厚さの液体を介在させた状態でレジスト膜を露光する液浸露光技術が広く知られている。この液浸技術自体は古くは液浸光学顕微鏡として19世紀末より既に利用されている技術である。
【０００６】
液浸露光プロセスは空気(n=1)よりも屈折率の高い媒体を使用するため、開口数NAが増大し、高解像度(微細化)や焦点深度の向上が達成されるばかりでなく、現行装置に適用できるため、開発コストを低く抑えることが出来る。このため低コストで高集積化が可能となる液浸露光プロセスが脚光を浴びている。
【０００７】
液浸露光プロセスに使用する第一世代の液体としては、コストや取扱いの容易性などから純水や脱イオン水が有望視されており、既に実用段階に入りつつある。
他方で、さらに解像度と焦点深度を向上させるため、純水よりも屈折率が高く、かつ透明性の高い第二世代の液浸露光プロセス用液体の開発が望まれている。
【０００８】
露光装置における液体の使用は従来技術においてよく知られており、例えば、特許文献１にトリクロロトリフルオロエタン及びクロロベンゼンが、特許文献２にベンゼン、モノブロモベンゼン、1-ブロモ2-ヨードベンゼン、ジメチルナフタレン、2,3-ジメチルアニリン、2-フェニルエチルアミン、イソプロピルオキシベンゼン及びモノブロモナフタレン等が記載されているが、いずれも200nm以下の透過率が不十分であり、良好なレジストパターンを得ることが出来ない。
また特許文献３においてパーフルオロトリプロピルアミン及びパーフルオロトリブチルアミンが記載されているが、フッ素化合物のためいずれも水よりも屈折率が低く、微細で良好なレジストパターンを得ることが出来ない。
更に特許文献４にLi+、Na+、Ｋ+、Mg+、Ca2+、Sr2+、PO43-、SO42-、NO3-、Ｆ-、Cl-などのイオンを含有する溶液を記載しているが、これらの原料は常温で固体であるため、液体除去または乾燥時にこれらの原料物質が析出し不具合を引き起こすため好ましくない。
【特許文献１】米国特許第4480910号公報
【特許文献２】米国特許第4509852号公報
【特許文献３】特開2005-101498号公報
【特許文献４】特開2005-79140号公報
【発明の開示】
【発明が解決しようとする課題】
【０００９】
本発明は、かかる従来技術の問題点を鑑み、液浸露光プロセスにおいて、真空紫外領域として知られる200nm以下の波長で、非常に高い透明性と水よりも高い屈折率を有する液体およびそれを用いたレジストパターン形成方法を提供することを目的とする。
【課題を解決するための手段】
【００１０】
本発明者らは上記課題を解決すべく鋭意検討の結果、飽和炭化水素化合物を含有し、かつ不純物濃度が二重結合換算で3.3mmol/mol以下である液浸露光プロセス用液体を使用することにより、200nm以下の紫外光を用いた液浸露光プロセスにおいて、良好なレジストパターンを形成できることを見出し、本発明を完成するに至った。
【発明の効果】
【００１１】
本発明の液浸露光プロセス用液体を使用することにより、純水使用時よりも解像度が高く、表面の荒れやパターンの揺らぎのない良好なレジストパターンを形成することが出来る。
【発明を実施するための最良の形態】
【００１２】
本発明は200nm以下の波長範囲において、飽和炭化水素化合物を含有し、かつ不純物濃度が二重結合換算で3.3mmol/mol以下である液浸露光プロセス用液体を用いたレジストパターンの形成方法に関するものである。
ここで、二重結合換算の不純物濃度とは液浸露光プロセス用液体中に存在する二重結合含有化合物の二重結合体のモル濃度を示す。
【００１３】
本発明において、200nm以下の紫外光を透過するために、飽和炭化水素化合物を含有した液浸露光プロセス用液体の不純物濃度(二重結合換算)が3.3mmol/mol以下であることが必要であり、好ましくは0.1mmol/mol以下、更に好ましくは0.01mmol/mol以下の不純物濃度(二重結合換算)が好適である。市販で流通している工業用原料や試薬の濃度は通常80〜99.5％である。つまり0.5〜20％は製造時に生じる未反応原料、副生成物、オリゴマーなどの不純物を含有している。これらの不純物中には二重結合を含有する化合物が含まれている場合が多く、飽和炭化水素化合物においても工業製品や試薬をそのまま200nm以下の紫外光を用いた液浸露光プロセス用液体として使用しても、不純物(残存する二重結合含有化合物)の影響により200nm以下の紫外光が吸収されて全く通さないか、十分な透過率が得られないため、液浸露光プロセス用液体としては不適であり、良好なレジストパターンを形成することは出来ない。
【００１４】
前記飽和炭化水素化合物として、炭素数５以上の直鎖炭化水素化合物、分岐式炭化水素化合物および脂環式炭化水素化合物が挙げられる。これらの化合物は、２００nm以下の紫外光に対する透過率、粘性および沸点等の観点から炭素数が５以上であることが好ましい。
【００１５】
前記の脂環式炭化水素化合物としては、基本骨格が炭素数５以上のモノシクロ、ビシクロ、トリシクロまたはテトラシクロ構造を有する化合物を挙げることが出来る。
【００１６】
詳しくは、200nm以下の紫外光に対する透過率および屈折率が高く、かつ工業的に入手しやすい点で、シクロヘキサン、シクロオクタン、シクロデカン、ビシクロヘキサン、デカヒドロナフタレン、ノルボルナン、ビシクロオクタン、アダマンタン、パーヒドロアントラセン、パーヒドロフェナントレン、トリシクロデカン、パーヒドロナフタセンまたはテトラシクロドデカンのいずれかを基本骨格とする脂環式炭化水素化合物を使用することが好ましく、更に好ましくはシクロヘキサン、ビシクロヘキサン、ノルボルナン、デカヒドロナフタレン、ビシクロオクタン、アダマンタンのいずれかを基本骨格とする脂環式炭化水素化合物を使用することが好ましい。
【００１７】
前記の脂環式炭化水素化合物は液浸露光プロセス用液体として使用するため、常温で液体であるか、溶媒への溶解性が大きいことが重要な要素の一つである。このため前記の脂環式炭化水素化合物は１つ以上のアルキル基を有することが好ましい。
【００１８】
更に詳しくは、具体例として、下記一般式(１)で示される少なくとも１つ以上のアルキル基を有するアダマンタン化合物を挙げることが出来る。ただし、少なくとも１つ以上のアルキル基を有する脂環式炭化水素化合物としてはアダマンタン化合物に限定されるものではなく、炭素数が５以上の脂環式炭化水素化合物のすべてに適用される。
【化１】
2007227811.tif 000002
[式中のＲ１〜Ｒ６は同一または異なるものであり、水素原子、炭素数１〜10のアルキル基、アルコキシ基、脂環式炭化水素基、フッ素原子、塩素原子、臭素原子、ヨウ素原子、水酸基、５価のリン原子を有する官能基または６価の硫黄原子を有する官能基を示す。但し、Ｒ１〜Ｒ６のうち少なくとも一つはアルキル基を表す。アルキル基およびアルコキシ基に結合する水素原子の一部または全部をフッ素原子、塩素原子、臭素原子、又はヨウ素原子、水酸基、５価のリン原子を有する官能基または６価の硫黄原子を有する官能基で置換したものも含む。脂環式炭化水素基の炭素数は５〜20であり、脂環式炭化水素基に結合する水素の一部または全部を炭素数１〜10のアルキル基、アルコキシ基、アルキルアルコール基、フッ素原子、塩素原子、臭素原子、ヨウ素原子、水酸基、５価のリン原子を有する官能基または６価の硫黄原子を有する官能基で置換したものも含む。]
【００１９】
上記脂環式炭化水素化合物のうち、特に好ましくは、以下に示されるアダマンタン化合物である。
【化２】
2007227811.tif 000003
（式中のＲ１〜Ｒ６は同一または異なるものであり、水素原子、炭素数１〜10のアルキル基、又は炭素数５〜20の脂環式炭化水素基を示す。但し、Ｒ１〜Ｒ６のうち少なくとも一つはアルキル基を表す。）
【００２０】
前記の飽和炭化水素化合物は液浸露光プロセス用液体として使用するため、常温で液体であることが好ましい。このため融点が25℃以下の飽和炭化水素化合物であることが好適である。
【００２１】
液浸露光プロセス用の液体は所望のレジストパターン解像度や焦点深度、高いスループットなどの各種条件を満足するものでなければならない。これらの条件を満足するために、本発明で使用される飽和炭化水素化合物は透過率、屈折率、粘性などの所望の物性値に調整して使用することが出来る。調整方法としては、飽和炭化水素化合物に溶媒を添加する方法が挙げられ、調整溶媒は照射される光に対して実用可能な透過率を有する液体であることが必要である。
【００２２】
調整溶媒としては、純水、脱イオン水、リン酸化合物、リン酸エステル化合物、硫酸化合物、硫酸エステル化合物、パーフルオロポリエーテル化合物、ハイドロフルオロポリエーテル化合物、パーフルオロカーボン化合物、ハイドロフルオロカーボン化合物、ハイドロカーボン化合物、脂環ハイドロカーボン化合物、シリコーンオイル化合物、クラウン化合物、脂環化合物等から高い透過率が得られる液体を選択して使用することが好ましい。これらの調整溶媒も不純物濃度が二重結合換算で3.3mmol/mol以下である必要があり、不純物濃度(二重結合換算)がこの値よりも高ければ、200nm以下の紫外光を吸収するため露光が不十分となり、良好なレジストパターンを得ることが出来ない。本発明で使用される飽和炭化水素化合物の調整に使用する溶媒は1種でも構わないし、2種類以上の溶媒を使用して所望の物性(透過率、屈折率、粘性など)を得ることも可能である。
【００２３】
本発明に使用される液浸露光プロセス用液体の飽和炭化水素化合物の含有量は所望の物性(透過率、屈折率、粘性など)に応じて自由に選択することが出来るが、好ましくは0〜100wt％、更に好ましくは25〜100wt％である。
【００２４】
本発明に使用される飽和炭化水素化合物を含有する液浸露光プロセス用液体の透過率は照射される光、つまり200nm以下の波長光に対して出来るだけ高い透過率であることが好ましい。透過率が低くなると長い露光時間が必要となり、スループットが低下するばかりか、液浸露光プロセス用液体に光が吸収されるため液体温度が上昇して温度分布が生じるため露光像が揺らぎ、良好なレジストパターンが得られない。
【００２５】
本発明に使用される飽和炭化水素化合物を含有する液浸露光プロセス用液体は次世代の液浸露光プロセスに使用する液体を目的としているため、屈折率は照射される光に対して純水よりも高い屈折率であることが必要である。例えば、ArFエキシマレーザ(波長193nm)を使用した液浸露光機の場合、屈折率が1.44(純水)以上の液体でなければならない。純水よりも屈折率の高い液体を使用するため、高解像度(微細化)や焦点深度の向上が達成されるばかりでなく、現行装置に適用できるため、開発コストを低く抑えることが出来る。このため集積密度の高い半導体を低コストで製造することが可能となる。
【００２６】
本発明に使用される飽和炭化水素化合物を含有する液浸露光用液体の屈折率温度係数dn/dTは-1.0×10-3〜1.0×10-3/Kの範囲であることが好ましい。ここで、屈折率温度係数dn/dTとは、1℃の温度変化で生じる屈折率の変化量を意味する。屈折率温度係数が所望の範囲を外れると露光像の揺らぎが大きくなり、良好なレジストパターンが得られない。
【００２７】
本発明における飽和炭化水素化合物を含有する液浸露光用液体は溶存酸素が少ないことが好ましい。溶存酸素が少なければ紫外光の透過率低下を防止できるだけでなく、バブルの生成が減少するため、歩留まりの向上に役立つ。
飽和炭化水素化合物の溶存酸素を減少させる方法としては、窒素またはアルゴンのような不活性ガスでパージングする方法、減圧脱気または加熱減圧脱気する方法、減圧蒸留法などが一般的に挙げられるが、これらの方法に限定されるものではない。
【００２８】
次に、本発明の液浸露光プロセス用液体を用いたレジストパターン形成方法について説明する。
先ず基板上にフォトレジスト膜を形成する工程、必要に応じてレジスト膜上に保護膜(トップコート)を形成する工程、飽和炭化水素化合物を含有する液浸露光用液体を前記レジスト膜または保護膜上に配置する工程、前記液浸露光用液体を介してレジスト膜を露光する工程、必要に応じて前記レジスト膜を加熱する工程、前記レジスト膜を現像しレジストパターンを形成する工程を含むことを特徴とするレジストパターン形成方法である。
【００２９】
レジスト膜および保護膜の形成方法としては、シリコンウエハなどの基板上に、慣用のレジスト組成物をスピンナーなどで遠心塗布した後、熱処理を行い形成する。また基板とレジスト膜の間に反射防止膜を配置することも可能である。
【００３０】
本発明の液浸露光プロセス用液体を用いたレジストパターン形成方法に用いる波長は200nm以下の波長であれば特に限定されるものではなく、ArFエキシマレーザ(193nm)、F2レーザー(157nm)、EUV(真空紫外光13.5nm)、電子線、Ｘ線などの放射線を用いて行うことが出来る。
【００３１】
液浸露光用液体を介して露光工程が完了した後、基板から液浸露光用液体を除去する。除去方法としては、スピンドライ、窒素ブロー、加熱乾燥などから適切な手法を用いて行う。
次に、露光したレジスト膜を必要に応じて加熱処理し、アルカリ現像液を用いて現像処理する。引き続き純水による洗浄を行い、レジスト膜、保護膜、液浸露光用液体を完全に洗い流す。最後に乾燥を行うことにより所望のレジストパターンが得られる。
上記の工程は、公知の方法を用いて行うことが出来、記載の形態に限定されるものではない。
【実施例】
【００３２】
以下、本発明について実施例、比較例を示して、その実施形態と効果について具体的に説明するが、本発明はこれらの例により何ら限定されるものではない。
実施例および比較例中に示されている液浸露光用液体の特性は次のようにして測定した。
【００３３】
屈折率測定
MOLLER-WEDEL社製のゴニオニメータースペクトリメーターを用いて、最小偏角法にて194.2nmにおける屈折率を測定した。測定条件は22℃、窒素ガス雰囲気である。
二重結合含有量の測定
JEOL社製の核磁気共鳴吸収装置(JNM-LA500型)の1H NMRを用いて、内部標準法により、二重結合含有量を測定した。
【００３４】
（実施例１）
ヘキサンを精製して不純物濃度(二重結合換算)0.0mmol/molの液浸露光プロセス用液体を調製した。この液浸露光プロセス用液体の屈折率は1.49であった。
ポジ型レジストおよび保護膜を形成したシリコンウエハを調製した液浸露光用液体に浸漬させた後、ArFエキシマレーザ(波長193nm)を装備した２拘束干渉露光露光装置でパターンを露光した。次にアルカリ現像液で現像後、純水で洗浄したシリコンウエハのレジストパターンを走査型電子顕微鏡(SEM)で観察したところ、非常に優れたレジストパターンが形成された。
【００３５】
（実施例２）
ヘキサンを精製して不純物濃度(二重結合換算)0.3mmol/molの液浸露光プロセス用液体を調製した。この液浸露光プロセス用液体の屈折率は1.49であった。
実施例１と同様の方法でレジストパターンを観察したところ、非常に優れたレジストパターンが形成された。
【００３６】
（実施例３）
ヘキサンを精製して不純物濃度(二重結合換算)2.0mmol/molの液浸露光プロセス用液体を調製した。この液浸露光プロセス用液体の屈折率は1.49であった。
実施例１と同様の方法でレジストパターンを観察したところ、非常に優れたレジストパターンが形成された。
【００３７】
（実施例４）
ヘキサンを精製して不純物濃度(二重結合換算)3.0mmol/molの液浸露光プロセス用液体を調製した。この液浸露光プロセス用液体の屈折率は1.49であった。
実施例１と同様の方法でレジストパターンを観察したところ、良好なレジストパターンが形成された。
【００３８】
（実施例５）
シクロヘキサンを精製して不純物濃度(二重結合換算)0.0mmol/molの液浸露光プロセス用液体を調製した。この液浸露光プロセス用液体の屈折率は1.56であった。
実施例１と同様の方法でレジストパターンを観察したところ、非常に優れたレジストパターンが形成された。
【００３９】
（実施例６）
ノルボルナン75wt%とヘキサン25wt%を混合して不純物濃度(二重結合換算)1.0mmol/molの液浸露光プロセス用液体を調製した。この液浸露光プロセス用液体の屈折率は1.57であった。
実施例１と同様の方法でレジストパターンを観察したところ、非常に優れたレジストパターンが形成された。
【００４０】
（実施例７）
アダマンタン10wt%とヘキサン90wt%を混合して不純物濃度(二重結合換算)0.0mmol/molの液浸露光プロセス用液体を調製した。この液浸露光プロセス用液体の屈折率は1.51であった。
実施例１と同様の方法でレジストパターンを観察したところ、非常に優れたレジストパターンが形成された。
【００４１】
（実施例８）
1,3-ジメチルアダマンタンを精製して不純物濃度(二重結合換算)0.0mmol/molの液浸露光プロセス用液体を調製した。この液浸露光プロセス用液体の屈折率は1.66であった。
実施例１と同様の方法でレジストパターンを観察したところ、非常に優れたレジストパターンが形成された。
【００４２】
（実施例９）
1-エチルアダマンタンを精製して不純物濃度(二重結合換算)0.0mmol/molの液浸露光プロセス用液体を調製した。この液浸露光プロセス用液体の屈折率は1.66であった。
実施例１と同様の方法でレジストパターンを観察したところ、非常に優れたレジストパターンが形成された。
【００４３】
（比較例１）
不純物濃度(二重結合換算)3000mmol/molのベンゼンを液浸露光プロセス用液体として用いた。使用したベンゼンは193nm紫外光を透過しなかった。
実施例１と同様の方法で露光を行ったが、レジストパターンを形成することは出来なかった。
【００４４】
（比較例２）
不純物濃度(二重結合換算)0.0mmol/molのパーフルオロオリエーテルを液浸露光プロセス用液体として用いた。使用したパーフルオロオリエーテルの屈折率は1.33であった。
実施例１と同様の方法で露光を行ったが、解像度が低下し、良好なレジストパターンを形成することは出来なかった。
【００４５】
（比較例３）
不純物濃度(二重結合換算)0.0mmol/molの純水を液浸露光プロセス用液体として用いた。使用した純水の屈折率は1.44であった。
実施例１と同様の方法でレジストパターンを観察したところ、良好なパターンが形成された。
【００４６】
（比較例４）
不純物濃度(二重結合換算)3.6mmol/molのヘキサンを液浸露光プロセス用液体として用いた。使用したヘキサンは193nm紫外光を透過しなかった。
実施例１と同様の方法で露光を行ったが、レジストパターンを形成することは出来なかった。
【００４７】
（比較例５）
不純物濃度(二重結合換算)5.0mmol/molのシクロヘキサンを液浸露光プロセス用液体として用いた。使用したシクロヘキサンは193nm紫外光を透過しなかった。
実施例１と同様の方法で露光を行ったが、レジストパターンを形成することは出来なかった。
【００４８】
（比較例６）
ノルボルナン75wt%とヘキサン25wt%を混合して不純物濃度(二重結合換算)5.0mmol/molの液浸露光プロセス用液体を調製した。使用した液浸露光プロセス用液体は193nm紫外光を透過しなかった。
実施例１と同様の方法で露光を行ったが、レジストパターンを形成することは出来なかった。
【００４９】
（比較例７）
アダマンタン10wt%とヘキサン90wt%を混合して不純物濃度(二重結合換算)5.0mmol/molの液浸露光プロセス用液体を調製した。使用した液浸露光プロセス用液体は193nm紫外光を透過しなかった。
実施例１と同様の方法で露光を行ったが、レジストパターンを形成することは出来なかった。
【００５０】
（比較例８）
不純物濃度(二重結合換算)5.0mmol/molの1,3-ジメチルアダマンタンを液浸露光プロセス用液体として用いた。使用した1,3-ジメチルアダマンタンは193nm紫外光を透過しなかった。
実施例１と同様の方法で露光を行ったが、レジストパターンを形成することは出来なかった。
【００５１】
（比較例９）
不純物濃度(二重結合換算)5.0mmol/molの1-エチルアダマンタンを液浸露光プロセス用液体として用いた。使用した1-エチルアダマンタンは193nm紫外光を透過しなかった。
実施例１と同様の方法で露光を行ったが、レジストパターンを形成することは出来なかった。
【００５２】
【表１】
2007227811.tif 000004